(57)【要約】【課題】効率的な光照射を実現し得る光照射器を提供する。【解決手段】本開示の光照射器は、光源と、筒形状を有する導光部と、接続部とを備える。導光部は、筒形状の中心軸方向に沿って形成された貫通孔を有する。接続部は、導光部の中心軸方向端部に着脱自在に構成されている。接続部は、導光部に取り付けられた状態において光源と導光部とを接続する。【選択図】図１
2016067493.tif 000002
【特許請求の範囲】
【請求項１】
光源と、
筒形状を有し、前記筒形状の中心軸方向に沿って形成された貫通孔を有する導光部と、
前記導光部の中心軸方向端部に着脱自在に構成され、前記導光部に取り付けられた状態において前記光源と前記導光部とを接続する接続部と
を備える光照射器。
【請求項２】
前記接続部は、前記導光部に取り付けられた状態において前記貫通孔に連通する内部空間を有する、請求項１に記載の光照射器。
【請求項３】
前記接続部は、前記貫通孔の内部に挿入可能な筒部を有する、請求項１または２に記載の光照射器。
【請求項４】
前記筒部の外側面は、突起を有し、
前記導光部は、前記突起に係合する凹部を有する、請求項３に記載の光照射器。
【請求項５】
前記凹部は、前記導光部の内側面と外側面とを結ぶ穴である、請求項４に記載の光照射器。
【請求項６】
前記凹部は、前記中心軸方向に沿って延びる部分と、前記中心軸方向に沿って延びる部分に略垂直に延びる部分とを有する、請求項４または５に記載の光照射器。
【請求項７】
前記接続部は、前記導光部に結合される側の端部に爪部を有し、
前記導光部は、前記接続部の前記爪部に係合する係合部を有する、請求項１または２に記載の光照射器。
【請求項８】
前記筒部の外側面は、雄ねじ部を有し、
前記導光部の内側面は、前記筒部の前記雄ねじ部に係合する雌ねじ部を有する、請求項３に記載の光照射器。
【請求項９】
前記光源は、レーザ光を出射するレーザ光生成器と、前記レーザ光生成器に一端が接続された光ファイバとを含み、
前記接続部は、前記筒形状の前記中心軸と前記光ファイバの中心軸とが一致し、かつ、互いに平行となるように前記光ファイバの他端を前記中心軸方向端部に対して支持する請求項１から８のいずれかに記載の光照射器。
【請求項１０】
請求項１から９のいずれかに記載の光照射器を備えた、子宮頸部用光線力学的治療装置。
【発明の詳細な説明】
【技術分野】
【０００１】
本願は、光照射器および光照射器を備えた子宮頸部用光線力学的治療装置に関する。
【背景技術】
【０００２】
医療分野において、治療または検査のため、患者または被検者の所望の部位に光を照射する光照射器が利用されている。近年、光線力学的治療法（ｐｈｏｔｏｄｙｎａｍｉｃ  ｔｈｅｒａｐｙ：以下、「ＰＤＴ」と略する。）が注目されている。ＰＤＴは、光感受性物質への光照射による光化学反応を利用した局所的治療法である。例えば、癌細胞に多く蓄積される光感受性物質を使用し、患部へのレーザ光照射により癌細胞を選択的に破壊する。
【０００３】
特許文献１は、ＰＤＴにおける光照射のための照射装置を開示している。特許文献１に記載の照射装置は、身体の開口部（オリフィス）に挿入された状態で使用される。
【先行技術文献】
【特許文献】
【０００４】
【特許文献１】特表２０１２−５１５００３号公報
【発明の概要】
【発明が解決しようとする課題】
【０００５】
ＰＤＴによる効率的な治療においては、患部への的確な光照射が有効である。しかしながら、従来、所望の領域に向けて正確に光照射が行われるかどうかを事前に確認することは困難であった。例えば、特許文献１に記載の照射装置は、身体の開口部に挿入された後、照射を実行する。そのため、開口部内に照射装置を配置してから照射するまでの間において照射装置の位置または向きが変化することがある。照射の前に照射装置の位置または向きが変化すると、患部に向けて正確に光照射を行えないおそれがある。
【０００６】
光照射に先立ち、実際に照射される領域を確認できると有益である。
【課題を解決するための手段】
【０００７】
本開示の例示的な実施形態として以下が提供される。
【０００８】
光源と、筒形状を有し、前記筒形状の中心軸方向に沿って形成された貫通孔を有する導光部と、前記導光部の中心軸方向端部に着脱自在に構成され、前記導光部に取り付けられた状態において前記光源と前記導光部とを接続する接続部とを備える光照射器。
【発明の効果】
【０００９】
本開示によれば、効率的な光照射が可能な光照射器が提供される。
【図面の簡単な説明】
【００１０】
【図１】本開示の実施の形態による光照射器の一例を示す斜視図である。
【図２】プローブ１００の斜視図である。
【図３】プローブ１００の外観の一例を示す側面図である。
【図４】筒形状の中心軸１２０ｚを含む平面で切断したときの導光部１２０の断面図である。
【図５】接続部１４０が導光部１２０に取り付けられた状態のプローブ１００の断面図である。
【図６】照射時における、プローブ１００内部の光線の方向を模式的に示す断面図である。
【図７】本開示の光照射器の使用方法を説明するための図である。
【図８】本開示の他の実施の形態によるプローブの一例を示す側面図である。
【図９】導光部１２０Ｂに対する接続部１４０Ｂの取り付け方法を説明するための図である。
【図１０】本開示のさらに他の実施の形態によるプローブの一例を示す側面図である。
【図１１】図１０に示すプローブ１００Ｃの変形例を示す側面図である。
【図１２】本開示のさらに他の実施の形態によるプローブの一例を示す側面図である。
【図１３】本開示のさらに他の実施の形態によるプローブの一例を示す側面図である。
【発明を実施するための形態】
【００１１】
まず、本開示の一態様の概要を説明する。
【００１２】
本開示の一態様である光照射器は、光源と、筒形状を有する導光部と、接続部とを備える。導光部は、筒形状の中心軸方向に沿って形成された貫通孔を有する。接続部は、導光部の中心軸方向端部に着脱自在に構成されており、導光部に取り付けられた状態において光源と導光部とを接続する。
【００１３】
ある態様において、接続部は、導光部に取り付けられた状態において貫通孔に連通する内部空間を有する。
【００１４】
ある態様において、接続部は、貫通孔の内部に挿入可能な筒部を有する。
【００１５】
ある態様において、筒部の外側面は、突起を有し、導光部は、突起に係合する凹部を有する。
【００１６】
ある態様において、凹部は、導光部の内側面と外側面とを結ぶ穴である。
【００１７】
ある態様において、凹部は、中心軸方向に沿って延びる部分と、中心軸方向に沿って延びる部分に略垂直に延びる部分とを有する。
【００１８】
ある態様において、接続部は、導光部に結合される側の端部に爪部を有し、導光部は、接続部の爪部に係合する係合部を有する。
【００１９】
ある態様において、筒部の外側面は、雄ねじ部を有し、導光部の内側面は、筒部の雄ねじ部に係合する雌ねじ部を有する。
【００２０】
ある態様において、光源は、レーザ光を出射するレーザ光生成器と、レーザ光生成器に一端が接続された光ファイバとを含み、接続部は、筒形状の中心軸と光ファイバの中心軸とが一致し、かつ、互いに平行となるように光ファイバの他端を中心軸方向端部に対して支持する。
【００２１】
本開示の他の一態様である子宮頸部用光線力学的治療装置は、上記のいずれかに記載の光照射器を備える。
【００２２】
以下、本開示の光照射器の一例を示す実施の形態を図面とともに詳細に説明する。なお、以下の説明において、実質的に同じ機能を有する構成要素は共通の参照符号で示し、説明を省略することがある。
【００２３】
（第１の実施形態）
図１は、本開示の実施の形態による光照射器の一例を示す。図１に示す光照射器５０は、光源１０と、プローブ１００とを備える。本実施形態では、光照射器５０は、例えば、ＰＤＴに使用される。本実施形態では、光照射器５０は、子宮頸がん治療に用いられる子宮頸部用光線力学的治療装置である。
【００２４】
光源１０は、レーザ光を出射するレーザ光生成器２０と、光ファイバ２とを含む。レーザ光生成器２０は、本実施形態では、ＰＤＴによる治療に適した波長のレーザ光を生成する。例えば、レーザ光生成器２０は、６６４ｎｍ±２ｎｍの波長を有するレーザ光を生成する。生成したレーザ光は光ファイバ２によって、プローブ１００へ導かれる。光ファイバ２は、レーザ光の導光に適した種々の光ファイバによって構成される。例えば、光ファイバ２は、シングルモードまたはマルチモード光ファイバであってもよい。また、グレーデッドインデックス型ポリマー光ファイバ（ＧＩ・ＰＯＦ）、バンドルファイバ等であってもよい。光ファイバ２のコアの直径に特に制限はなく、例えば、４００μｍ程度であってもよい。また、ガンマ線による滅菌処理が可能なタイプであってもよい。
【００２５】
光ファイバ２の一端はレーザ光生成器２０に接続され、他端はプローブ１００に接続される。図１に示す例では、プローブ１００は、筒形状を有する導光部１２０と、導光部１２０の一端に位置する接続部１４０とを含む。導光部１２０は、筒形状の中心軸方向に沿って形成された貫通孔１２２を有する。光ファイバ２から導かれたレーザ光はプローブ１００の一端１２０ｃから出射し、患者の患部または被検者の検査対象部位に照射される。以下、プローブ１００の構造をより詳細に説明する。
【００２６】
図２は、プローブ１００の斜視図である。導光部１２０の筒形状の両端には、第１の開口端１２０ｃおよび第２の開口端１２０ｄが形成されている。図示する例では、第２の開口端１２０ｄに接続部１４０が結合されている。後述するように、接続部１４０は、導光部１２０に対する着脱を可能にする機構を有する。接続部１４０は、導光部１４０に取り付けられた状態において導光部１４０と光源（図２において不図示）とを接続する。
【００２７】
図３は、導光部１２０の筒形状の中心軸１２０ｚに垂直な方向から見たときのプローブ１００の外観の一例を示す。図４は、筒形状の中心軸１２０ｚを含む平面で切断したときの導光部１２０の断面の一例を示す。
【００２８】
図３に示す例では、接続部１４０は、導光部１２０の第２の開口端１２０ｄと対向する側とは反対側に突出するファイバ保持部１４０ｅを有している。ファイバ保持部１４０ｅは、光ファイバ２が挿入されるファイバ挿入口（孔）１４６を有する。ファイバ挿入口１４６は、光ファイバ２の外径と同じか、やや小さい内径を有する。光ファイバ２は、その一端が光ファイバ挿入口１４６に挿入されることにより、接続部１４０を介して光ファイバ２が導光部１２０に対して位置決めされ、支持される。
【００２９】
接続部１４０は、典型的には、導光部１２０の筒形状の中心軸１２０ｚと光ファイバ２の中心軸とが一致し、かつ、互いに平行となるように光ファイバ２の一端を第２の開口端１２０ｄに対して支持する。光ファイバ２から出射されるレーザ光ができるだけ均一に導光部１２０内に導入されるように、筒形状の中心軸１２０ｚと光ファイバ２の中心軸とが一致し、かつ、互いに平行となるように光ファイバ２がファイバ保持部１４０ｅに支持されると有益である。筒形状の中心軸１２０ｚと光ファイバ２の中心軸とが互いに平行であれば、筒形状の中心軸１２０ｚと光ファイバ２の中心軸との間の多少のずれは許容され得る。
【００３０】
ファイバ保持部１４０ｅは、ＳＣコネクタ、ＦＣコネクタ、ＳＭＡコネクタなどの規格に従った形状および結合構造を有していてもよい。この場合、光ファイバ２の端部はこれらの結合形式に適合した形状を有する。
【００３１】
図４に示すように、貫通孔１２２は、第１の開口端１２０ｃおよび第２の開口端１２０ｄを結んでいる。レーザ光生成器２０によって生成され、光ファイバ２内を進行したレーザ光は、接続部１４０を介して導光部１２０の貫通孔１２２に出射する。その後、レーザ光は、貫通孔１２２内を進行し、第１の開口端１２０ｃからプローブ１００の外部に向けて出射する。プローブ１００の接続部１４０は、導光部１２０に取り付けられた状態において、導光部１２０を光源１０に光学的に結合する。
【００３２】
第１の開口端１２０ｃおよび第２の開口端１２０ｄの一方から入射した光は、貫通孔１２２を進行し、他方から出射する。導光部１２０の内側面１２０ｂは、典型的には、鏡面または拡散反射面である。内側面１２０ｂは、その一部または全体に、金属の蒸着またはめっき、白色塗装などが施された面であり得る。内側面１２０ｂは、その一部または全体に、公知の光反射フィルムを有していてもよい。内側面１２０ｂが、アルミニウム板、ステンレス板などによって構成されていてもよい。内側面１２０ｂは、その一部または全体に、拡散反射をもたらす微細な凹凸または公知の拡散反射フィルムを有し得る。
【００３３】
貫通孔１２２は、空洞であってもよいし、透明な液体または固体によって充填されていてもよい。例えば、導光部１２０の内部が、ガラス、透明な樹脂などによって占められていてもよい。導光部１２０の内部を占める物質は、レーザ光を伝搬可能であり、レーザ光をあまり吸収しない材料であればよい。内側面１２０ｂにおいて全反射が起きるように、導光部１２０の内部に充填される物質の屈折率が調整されていてもよい。
【００３４】
筒形状の中心軸１２０ｚを含む断面における、導光部１２０の断面形状は、特定の形状に限定されない。例えば、導光部１２０の内側面１２０ｂと外側面１２０ａとが非平行であってもよい。また、筒形状の中心軸１２０ｚに垂直な断面における断面形状も特定の形状に限定されない。第１の開口端１２０ｃにおける断面形状と第２の開口端１２０ｄにおける断面形状とが一致している必要もない。
【００３５】
図５は、接続部１４０が導光部１２０に取り付けられた状態のプローブ１００の断面を模式的に示す。図５では、図４と同様に、導光部１２０の筒形状の中心軸１２０ｚを含む平面で切断したときの断面の一例を示している。以下において参照する他の断面図も同様である。
【００３６】
図５に例示する構成では、接続部１４０は、内部空間１４２を有する。内部空間１４２は、接続部１４０が導光部１２０に取り付けられた状態において貫通孔１２２に連通する。内部空間１４２を規定する、接続部１４０の内側面１４０ｂは、鏡面または拡散反射面であり得る。
【００３７】
図５に例示する構成では、接続部１４０は、貫通孔１２２の内部に挿入可能な筒部１４１を有している。例えば、導光部１２０の筒形状の中心軸１２０ｚに垂直な断面における貫通孔１２２の形状が円である場合、筒部１４１の外径は、導光部１２０の内径とほぼ同じであり得る。筒部１４１を貫通孔１２２の内部にはめ込むことにより、導光部１２０に対する接続部１４０の一時的な固定を実現し得る。図示する例では、筒部１４１を貫通孔１２２から引き抜けば、導光部１２０と接続部１４０とを分離することができる。このように、本開示の実施の形態では、接続部１４０は、導光部１２０の軸方向端部（ここでは第２の開口端１２０ｄ）に着脱自在に構成されている。
【００３８】
図５では、導光部１２０に接続部１４０が結合された状態において導光部１２０の外側面１２０ａと接続部１４０の外側面１４０ａとが整合するような構成を例示している。しかしながら、導光部１２０の外側面１２０ａと、接続部１４０の外側面１４０ａとが整合している必要はない。例えば、導光部１２０の筒形状の中心軸１２０ｚに垂直な断面における導光部１２０の断面形状と、接続部１４０の断面形状とが異なっていてもよい。
【００３９】
図６は、照射時における、プローブ１００内部の光線の方向を模式的に示す。図６に示すように、照射時、プローブ１００の第１の開口端１２０ｃが照射対象物（例えば子宮頸部）３００に向けられる。
【００４０】
図６において矢印で示すように、光ファイバ２の端面２ａから、レーザ光が導光部１２０の内部に導入される。レーザ光は、端面２ａから広がって出射する。このため、レーザ光は、接続部１４０の内側面１４０ｂまたは導光部１２０の内側面１２０ｂの表面に斜めに入射し、反射する。反射したレーザ光は、内側面１２０ｂの表面において反射を繰り返しながら貫通孔１２２内を進行した後、第１の開口端１２０ｃに到達する。第１の開口端１２０ｃから出射した光が、照射対象物３００に入射する。内側面１４０ｂおよび内側面１２０ｂの少なくとも一方を鏡面または拡散反射面とすることにより、光の利用効率の低下を抑制し得る。接続部１４０の内部空間１４２は、透明な物質によって充填されていてもよい。接続部１４０の内部にレンズが配置されていてもよい。
【００４１】
図７は、本開示の光照射器の使用方法を模式的に示す。図７では、照射対象物３００と、光照射器の使用者（例えば医師）２００と、導光部１２０の断面とが示されている。上述したように、接続部１４０は、導光部１２０の軸方向端部に着脱自在に構成されている。そのため、照射対象物３００に導光部１２０の第１の開口端１２０ｃを当てた状態で導光部１２０から接続部１４０を取り外すことができる。使用者２００は、プローブ１００の導光部１２０から接続部１４０を取り外した状態において、貫通孔１２２を介して照射対象物３００を見ることができる。なお、導光部１２０の筒形状の中心軸１２０ｚは、直線状に限定されない。接続部１４０を取り外した状態において、貫通孔１２２を介して照射対象物３００を見ることができれば、筒形状の中心軸１２０ｚは、屈曲していてもよい。導光部１２０の筒形状の中心軸１２０ｚに垂直な断面における断面形状が例えば円である場合、導光部１２０の内径は、１０ｍｍから５０ｍｍ程度であり得る。また、外径は、１２ｍｍから６０ｍｍ程度であり得る。
【００４２】
使用者２００は、照射される領域を確認し、必要に応じて導光部１２０の位置および向きを調整する。導光部１２０の位置および向きの調整後、接続部１４０を導光部１２０に取り付けることにより、所望の領域に対して照射を行うことができる。このように、本開示の実施の形態によれば、照射対象物３００において照射される領域を照射の直前に確認することができる。したがって、本開示によれば、簡易な構成によって、所望の領域に向けた正確な光照射を実現することが可能である。
【００４３】
（第２の実施形態）
図８は、本開示の他の実施の形態によるプローブの一例を示す。図８に示すプローブ１００Ｂは、筒部１４１の外側面に突起１５０を有する接続部１４０Ｂと、突起１５０に係合する切り欠き１３０を有する導光部１２０Ｂとを含む。図８は、導光部１２０Ｂに接続部１４０Ｂが接続された状態を示している。
【００４４】
図９は、導光部１２０Ｂに対する接続部１４０Ｂの取り付け方法を示す。図示する例では、切り欠き１３０は、導光部１２０Ｂの筒形状の中心軸方向に沿って第２の開口端１２０ｄから延びる部分１３２と、中心軸方向に沿って延びる部分に略垂直に延びる部分１３４とを含んでいる。接続部１４０Ｂの取り付け時においては、まず、突起１５０を切り欠き１３０に対向させた状態で、図９において太い矢印で示すように、導光部１２０Ｂの第２の開口端１２０ｄ側から接続部１４０Ｂの筒部１４１を貫通孔１２２の内部に挿入する。その後、導光部１２０Ｂの筒形状の中心軸を回転軸として、図９において太い矢印で示すように、接続部１４０Ｂを回転させることにより、導光部１２０Ｂに接続部１４０Ｂを結合することができる。これにより、照射時における接続部１４０Ｂの脱落を防止し得る。導光部１２０Ｂから接続部１４０Ｂを取り外すときは、上記と逆の動作を行えばよい。
【００４５】
筒部１４１の外側面における突起１５０の数および配置は、任意に設定可能である。典型的には、突起１５０は、筒形状の中心軸に関して対称な位置に２以上設けられる。
【００４６】
図８および図９に例示する構成では、接続部１４０Ｂの突起１５０に対応して、導光部１２０Ｂに切り欠き１３０が形成されている。しかしながら、突起１５０に係合する構造は、切り欠き１３０のように、導光部１２０Ｂの内側面と外側面とを結ぶ穴に限定されない。導光部１２０Ｂの内側面に、突起１５０に係合する溝部を形成してもよい。
【００４７】
（第３の実施形態）
図１０は、本開示のさらに他の実施の形態によるプローブの一例を示す。図１０に示すプローブ１００Ｃは、ファイバ保持部１４０ｅとは反対側に向かって延びる爪部１５２を有する接続部１４０Ｃと、爪部１５２に係合する突出部１３６を有する導光部１２０Ｃとを含む。このような構成によっても導光部１２０Ｃに対して接続部１４０Ｃを容易に着脱し得る。
【００４８】
図示するように、爪部１５２は、接続部１４０Ｃの端部のうち、導光部１２０Ｃに結合される側の端部に設けられている。爪部１５２の数および配置は、任意に設定可能である。典型的には、爪部１５２は、筒形状の中心軸に関して対称な位置に２以上設けられる。
【００４９】
図示する例では、導光部１２０Ｃの外側面１２０ａに突出部１３６が形成されている。突出部１３６は、外側面１２０ａの全周にわたって形成されていてもよいし、爪部１５２に対応する位置に、爪部１５２と同数形成されていてもよい。突出部１３６に代えて、爪部１５２に係合する凹部（穴あるいは窪み）を導光部１２０Ｃに設けておいてもよい。
【００５０】
図１０に例示する構成では、導光部１２０Ｃに接続部１４０Ｃが接続された状態において、爪部１５２は、導光部１２０Ｃの外側面１２０ａの外側に位置している。しかしながら、図１１に示すように、導光部１２０Ｃに接続部１４０Ｃが接続された状態において爪部１５２が貫通孔１２２の内部に配置されるような構成であってもよい。図１１に示す例では、爪部１５２に係合する穴１３６が導光部１２０Ｃに設けられている。爪部１５２に係合する穴１３６を導光部１２０Ｃに設けた場合には、爪部１５２が穴１３６に係合した状態において爪部１５２によって穴１３６が覆われると、プローブの外部からの貫通孔１２２への光入射を抑制し得るので有益である。
【００５１】
（第４の実施形態）
図１２は、本開示のさらに他の実施の形態によるプローブの一例を示す。図１２に示すプローブ１００Ｄは、筒部１４１の外側面に雄ねじ部１５４を有する接続部１４０Ｄと、筒部１４１の雄ねじ部１５４に係合する雌ねじ部１３８を内側面１２０ｂに有する導光部１２０Ｄとを含む。このような構成によっても導光部１２０Ｄに対して接続部１４０Ｄを着脱可能とできる。
【００５２】
（第５の実施形態）
図１３は、本開示のさらに他の実施の形態によるプローブの一例を示す。図１３に示すプローブ１００Ｅにおける接続部１４０Ｅは、例えば第１の実施形態によるプローブ１００における接続部１４０と同様に、筒部１４１が貫通孔１２２の内部に挿入されることにより、導光部１２０Ｅに対して一時的に固定される。この例では、接続部１４０Ｅの内部空間１４２に、照射対象物（図１３において不図示）に照射される光を生成する光源１５９が配置されている。
【００５３】
光源１５９から出射された光は、接続部１４０Ｅの内部空間１４２を介して導光部１２０Ｅの貫通孔１２２に出射する。その後、貫通孔１２２内を進行した光は、第１の開口端１２０ｃからプローブ１００の外部に向けて出射する。
【００５４】
光源１５９は、レーザ光を生成する素子または装置であってもよいし、ＬＥＤチップまたは砲弾型ＬＥＤのような発光素子であってもよい。あるいは、光源１５９として、ハロゲンランプ、キセノンランプ、メタルハライドランプ、蛍光ランプなどを使用してもよい。
【００５５】
図１３に例示するように、接続部１４０Ｅが、光源を含んでいてもよい。光源の種類および数は、照射の目的に応じて適宜設定可能である。
【００５６】
なお、前述した種々の態様は、矛盾が生じない限り互いに組み合わせることが可能である。
【産業上の利用可能性】
【００５７】
本開示の光照射器は、例えば子宮頸がんに対する光線力学的治療に用いることが可能である。
【符号の説明】
【００５８】
１０    光源
２０    レーザ光生成器
５０    光照射器
１００    プローブ
１２０    導光部
１２０ａ    外側面
１２０ｂ    内側面
１２０ｃ    第１の開口端
１２０ｄ    第２の開口端
１２２    貫通孔
１３０    切り欠き
１３８    雌ねじ部
１４０    接続部
１４１    筒部
１４２    内部空間
１５０    突起
１５２    爪部
１５４    雄ねじ部
１５９    光源
【図１】
2016067493.tif 000003
【図２】
2016067493.tif 000004
【図３】
2016067493.tif 000005
【図４】
2016067493.tif 000006
【図５】
2016067493.tif 000007
【図６】
2016067493.tif 000008
【図７】
2016067493.tif 000009
【図８】
2016067493.tif 000010
【図９】
2016067493.tif 000011
【図１０】
2016067493.tif 000012
【図１１】
2016067493.tif 000013
【図１２】
2016067493.tif 000014
【図１３】
2016067493.tif 000015